(57)【特許請求の範囲】
【請求項１】
本体ケース(1) に、運転モードを切り換えるメインスイッチ(6) の切換操作体(60)と、整髪用アタッチメント(9) を着脱するための着脱操作体(5) とを設けたヘアドライヤにおいて、
切換操作体(60)と着脱操作体(5) との間に、両操作体(60)(5) よりも嵩高となるように上方へ膨出させた突出部(4)を設け、
突出部(4)の有する内部空間（Q）に、メインスイッチ(6)と副機能スイッチ(7)とを突出部(4)の膨出方向に重合状態に配設したことを特徴とするヘアドライヤ。
【請求項２】
突出部(4) の輪郭を台地状に形成したことを特徴とする請求項１記載のヘアドライヤ。
【請求項３】
副機能スイッチ(7) の操作体(70)を突出部(4) に設け、しかも、同操作体(70)の上面を突出部(4) の上面(4a)と略面一状態にしたことを特徴とする請求項１又は２に記載のヘアドライヤ。
【請求項４】
突出部(4) の表面に機能表示部(7a)を設けたことを特徴とする請求項１〜３のいずれかに記載のヘアドライヤ。
【請求項５】
突出部(4) の上面(4a)に突起(48)を設けたことを特徴とする請求項１〜４のいずれかに記載のヘアドライヤ。
【請求項６】
突起(48)を副機能スイッチ(7) の操作体(70)を囲繞するガイド部(41)としたことを特徴とする請求項５記載のヘアドライヤ。
【請求項７】
メインスイッチ(6) と副機能スイッチ(7) との間に、副機能スイッチ(7) を保持する合成樹脂製の保持板(73)を介在させ、絶縁体として兼用したことを特徴とする請求項３〜６のいずれかに記載のヘアドライヤ。
【請求項８】
保持板(73)に、副機能スイッチ(7) のリード線(75)の延出方向を規制する方向規制用リブ(73a) を設け、前記リード線(75)とメインスイッチ(6) のスイッチ切換用可動凸部(61)との干渉を回避したことを特徴とする請求項７記載のヘアドライヤ。
【発明の詳細な説明】
【０００１】
【発明の属する技術分野】
この発明は、ヘアドライヤに関し、詳しくは、着脱自在の整髪用アタッチメントを具備するヘアドライヤに関するものである。
【０００２】
【従来の技術】
従来、図２２に示すように、本体ケース100 に、運転モードを切り換えるメインスイッチの切換つまみ200 と、整髪用アタッチメント300 を着脱するための着脱ボタン400 とを設けた所謂ヘアブロッサと呼ばれるヘアドライヤＸがあった。
【０００３】
かかるヘアドライヤＸには、電源電圧の仕様が異なる国にも対応して使用できるように、電源電圧仕様をスイッチ操作で切り換える副機能スイッチを設けたものがあり、この副機能スイッチを操作する切換つまみ500 は、一般に回転式に構成されており、メインスイッチの切換つまみ200 と着脱ボタン400 との間に配設されている。
【０００４】
他方、一般的に、前記メインスイッチの切換つまみ200 は本体ケース100 の長手方向へのスライド式に構成されるとともに、整髪用アタッチメント300 の着脱ボタン400 はプッシュ式に構成されている。
【０００５】
【発明が解決しようとする課題】
ところが、上記した従来のヘアドライヤＸには、未だ下記のような課題が残されていた。
【０００６】
すなわち、上記各切換つまみ200,500 と整髪用アタッチメント300 の着脱ボタン400 とが略同レベルの面上に配設されているために、整髪時に指がメインスイッチの切換つまみ200 や整髪用アタッチメント300 の着脱ボタン400 に容易に触れることになる。
【０００７】
これらは上記したように略同レベルの面上に配置されているので力も加わりやすく、誤ってモードを切り換えてしまったり、ときには、整髪用アタッチメント300 を脱落させたりするおそれがあった。
【０００８】
また、例えばメインスイッチを切換えようとして切換つまみ200 を前方へスライドさせたときに、勢い余って副機能スイッチの切換つまみ500 を動かして、誤って切換えてしまったりすることもあった。
【０００９】
特に、整髪中にスイッチ操作する場合は、スイッチ切換え操作が手探りとなるので、目的とするスイッチと異なるスイッチに指が触れて誤操作しやすいものであった。
【００１０】
また、前記したように、各切換つまみ200,500 と着脱ボタン400 とが本体ケース100 から略同高さに突出しているので、例えばこれらを下側に向けた状態で本体ケース100 載置したり、落下させたりすると、各切換つまみ200,500 や着脱ボタン400 に外力が直接加わることになって、欠損したりするおそれもあった。
【００１１】
本発明は、上記課題を解決することのできるヘアドライヤを提供することを目的としている。
【００１２】
【課題を解決するための手段】
そこで、上記課題を解決するために、請求項１記載の本発明では、本体ケースに、運転モードを切り換えるメインスイッチの切換操作体と、整髪用アタッチメントを着脱するための着脱操作体とを設けたヘアドライヤにおいて、切換操作体と着脱操作体との間に、両操作体よりも嵩高となるように上方へ膨出させた突出部を設け、突出部の有する内部空間に、メインスイッチと副機能スイッチとを突出部の膨出方向に重合状態に配設した。したがって、整髪時に、突出部があることによって両操作体に指による強い力が加わることがなく、誤操作を可及的に防止することができる。また、一方の操作体を操作する場合に、突出部が介在しているので他方の操作体を誤操作したりするおそれがなく、しかも、本体ケースを把持するときに、突出部をグリップ位置の基準とすることができるとともに、手探り時にスイッチの場所の目安となって、目的とするスイッチの操作を確実に行える。また、余裕をもって副機能スイッチを配設でき、リード線などの配線も容易となって、製造時の組立性が向上する。さらに、メインスイッチと副機能スイッチとの端子同士が接触することを防止できる。
【００１３】
また、請求項２記載の本発明では、突出部の輪郭を台地状に形成した。したがって、指の腹などを載置することができグリップ感触が良好となる。
【００１５】
また、請求項３記載の本発明では、副機能スイッチの操作体を突出部に設け、しかも、同操作体の上面を突出部の上面と略面一状態にした。したがって、整髪中には操作することの少ない副機能スイッチの操作体に指が直接触れにくくなって、誤動作を防止することができる。
【００１６】
また、請求項４記載の本発明では、突出部の表面に機能表示部を設けた。したがって、ケース本体よりも浮き出た場所に機能表示がされることになって視認しやすい。
【００１７】
また、請求項５記載の本発明では、突出部の上面に突起を設けた。したがって、突出部を下にして載置した場合に、印刷等により表示した機能表示部が直接載置面に触れることがなく文字などがかすれたりするおそれがない。
【００１８】
また、請求項６記載の本発明では、突起を副機能スイッチの操作体を囲繞するガイド部とした。したがって、上記機能表示部の保護と同時に、操作体の保護が可能となり、かつ、意匠的にもすっきりとしたデザインとすることができる。
【００２０】
また、請求項７記載の本発明では、メインスイッチと副機能スイッチとの間に、副機能スイッチを保持する合成樹脂製の保持板を介在させ、絶縁体として兼用した。したがって、メインスイッチと副機能スイッチとの端子同士が接触することをより確実に防止するとともに、保持板ごと副機能スイッチを配設できるので組立性が向上する。
【００２１】
さらに、請求項８記載の本発明では、保持板に、副機能スイッチのリード線の延出方向を規制する方向規制用リブを設け、前記リード線とメインスイッチのスイッチ切換用可動凸部との干渉を回避した。したがって、リード線の配設が容易となるとともに、かかるリード線がメインスイッチのスイッチ切換用可動凸部に引っ掛かるなどのおそれがなく、組立性、操作性のいずれも良好となる。
【００２２】
【発明の実施の形態】
本発明は、本体ケースに、運転モードを切り換えるメインスイッチの切換操作体と、整髪用アタッチメントを着脱するための着脱操作体とを設けたヘアドライヤにおいて、切換操作体と着脱操作体との間に、両操作体よりも嵩高の突出部を設けたものである。
【００２３】
突出部の形状としては、その輪郭を台地状に形成したり、あるいは、内部空間を有する膨出した台地状に形成することができる。
【００２４】
輪郭が台地状というのは、突出部が必ずしも側面や上面という面を有していなくても、例えば、複数の薄板体をケース本体の長手方向に所定範囲で起立状態に配設したり、あるいは、ケース本体の幅方向に同様に複数の薄板体を配設して、投影した形状の外形が矩形形状となるものも含むもので、かかる台地状の形態とすることで、指の腹などを載置することができるので、使用時のグリップ感触を良好なものとすることができる。
【００２５】
また、内部空間を有する膨出した台地状にすれば、内部空間に余裕をもって副機能スイッチを設けることができ、リード線などの配線も容易となって、製造時の組立性を向上させることができる。
【００２６】
このように、突出部を設けたことで、指で本体ケースを把持したときにメインスイッチの切換操作体やアタッチメントの着脱操作体に強い力が加わらず、誤操作を可及的に防止することができる。さらに、一方の操作体を操作する場合に、突出部が介在しているので他方の操作体を誤操作したりするおそれがなく、しかも、本体ケースを把持するときにグリップ位置の基準とすることができるとともに、突出部が手探り時にスイッチの場所の目安となって、目的とするスイッチの操作を確実に行える。
【００２７】
また、突出部を内部空間を有する膨出したものとした場合、内部空間にメインスイッチと副機能スイッチとを重合状態に配設することができる。かかる構成とすれば、メインスイッチと副機能スイッチとの端子同士が接触することを防止できるのでショート等の危険性がない。
【００２８】
さらに、この場合はメインスイッチと副機能スイッチとの間に、副機能スイッチを保持する合成樹脂製の保持板を介在させることが好ましい。すなわち、合成樹脂製の保持板を絶縁体として兼用できることになり、メインスイッチと副機能スイッチとの端子同士の接触をより確実に防止でき、しかも、保持板ごと副機能スイッチを配設できるので組立性を向上させることができる。
【００２９】
また、かかる保持板に、副機能スイッチのリード線の延出方向を規制する方向規制用リブを設けることができる。かかるリブによって、前記リード線とメインスイッチのスイッチ切換用可動凸部との干渉を回避し、メインスイッチのスイッチ切換用可動凸部に引っ掛かるなどのおそれがなく、また、リード線の配設が容易となることから、組立性、操作性のいずれも良好となる。
【００３０】
このように、メインスイッチの切換操作体とアタッチメントの着脱操作体との間に、両操作体よりも嵩高の突出部を設ける意義はきわめて大きい。
【００３１】
また、かかる突出部に副機能スイッチの操作体を直接設けることができる。このときに、操作体の上面は突出部の上面と略面一状態にすることが好ましい。
【００３２】
すなわち、副機能スイッチにより切換える機能としては、温風を吹出しているときにヒータ機能のみをカットして送風のみとすることのできる急冷スイッチや一時的に風速を上げる所謂ターボスイッチ等の様々な付加機能が考えられるが、例えば電源電圧の異なる外国でも使用できるように、電源電圧の仕様を切換えるスイッチを副機能スイッチとすると、整髪中にこれを操作することは好ましくない。そこで、上記構成とすることによって、通常は操作することの少ない副機能スイッチの操作体に指が直接触れることがないようにし、誤まって電源電圧を切換えてしまって異常発熱したりする危険性を可及的に防止するものである。
【００３３】
さらに、副機能スイッチの機能表示部を前記突出部の表面に設けることができる。すなわち、ケース本体よりも浮き出た場所に機能表示がされることになって視認しやすくなり、上記したように、電源電圧の仕様が表示されている場合はこれを強く認識させることができるので、誤操作の危険性がより少なくなる。
【００３４】
また、突出部の上面に突起を設けることができる。この突起により、上記したように突出部表面に機能表示部が設けられている場合、突出部を下にして載置しても、印刷等により表示された機能表示が直接載置面に触れて文字などがかすれたりすることを防止できる。
【００３５】
ところで、かかる突起は、副機能スイッチの操作体を囲繞するガイド部と兼用することができ、かかる構成にすれば、全体形状が自然で意匠的にも優れ、かつ上記効果も奏することができる。
【００３６】
またこの場合、操作体の上面をガイド部の上面と略面一状態にすることが好ましい。すなわち、操作体がガイド部である突起よりも突出していると、特に操作体がプッシュ式の場合には指で触れやすく、誤操作しやすいからであるが、たとえプッシュ式であっても、ガイド部の上面よりも下方へ押し込まない限りスイッチが作用しないように構成しておけば若干の上部突出は許される。また、当然ながら、操作体の上面がガイド部の上面よりも若干下方に位置するものであっても構わない。
【００３７】
【実施例】
以下、本発明の実施例を図面を参照しながら具体的に説明する。
【００３８】
図１〜図３に、本実施例に係るヘアドライヤＡを示している。図１及び図２に示すように、ヘアドライヤＡは、前端に送風口10を形成するとともに、後端に吸込口11を形成した本体ケース１内に発熱装置２と送風装置３とを前後に収納配設し、これらを操作する機能操作部Ｓを前側部に設けている。Ｃは本体ケース１の後端から伸延させた電源コードである。
【００３９】
また、本実施例に係るヘアドライヤＡは、必要に応じて送風口10に装着可能とした整髪用アタッチメント９を具備している。
【００４０】
整髪用アタッチメント９としては、複数種の形状のものがあるが、本実施例ではブラシ形状としたものを装着している。
【００４１】
この整髪用アタッチメント９は、中空状に形成したブラシ本体90に湾曲面を有するシリコンゴム製のベース91を取付け、同ベース91上に多数の植毛体92を植設するとともに、同植毛体92,92 間にスリット状の吹出部93を形成している。
【００４２】
整髪用アタッチメント９の取り外しは、本体ケース１の前端近傍に設けて着脱操作体としての着脱ボタン５の操作により行うようにしている。図２において、51は整髪用アタッチメント９の内壁に形成した凹部94に係脱するロック爪、52は基端を前記した発熱装置２の遮熱筒22に当接させた付勢ばねである。
【００４３】
本体ケース１は、図３に示すように、合成樹脂製の二分割された上下二分割ケース1a,1b からなり、両ケース1a,1b を付き合わせて前後方向に細長い略円筒状に構成し、グリップを兼用できる形状としている。
【００４４】
本体ケース１の前部に収納される発熱装置２は、正面視で十字形状の絶縁板20にヒータ線21を巻回してヒータＨを構成し、これを前後方向に長い遮熱筒22に収納して構成している。
【００４５】
また、本体ケース１の後部に収納される送風装置３は、ファンモータＭと同モータＭの後端から突出したモータ軸30に固着したファンＦとを具備しており、ファンモータＭのモータケース31の外周面に、前方へ向けて沿うように整流翼32を放射状に配設するとともに、同整流翼32の外周の後端からファンガイド筒33を後方へ向けて一体成形し、同ファンガイド筒33内に前記ファンＦを収納して構成している。34はベルマウス状の整流リングである。
【００４６】
かかる発熱装置２及び送風装置３はリード線C1を介して本体ケース１の後端部に設けたコード引出部C2から電力の供給を受けており、前記した機能操作部Ｓに配設したメインスイッチ６によって作動される。C3はリード線C1のコード引出部C2側に配設した端子保持筒であり、同端子保持筒C3内には図示しない二つの端子が設けられている。
【００４７】
図４〜図７に機能操作部Ｓを示しており、機能操作部Ｓは、本体ケース１の上側分割ケース1aの前側部に長孔状凹部1cを形成し、同長孔状凹部1cの底面1dに形成した開口部1eを介して本体ケース１内と連通させ、ヒータＨやファンモータＭと結線したメインスイッチ６及び電源電圧の異なる外国でも使用できるように電源電圧の仕様を切換える副機能スイッチとしてのサブスイッチ７とを長孔状凹部1cに配設し、さらに、同長孔状凹部1cに操作部カバー８を着脱自在に嵌着して構成している。
【００４８】
そして、前記操作部カバー８にメインスイッチ６を操作する切換操作体としての主つまみ60をスライド自在に取付け、同主つまみ60の切換操作によってファンモータＭのＯＮ・ＯＦＦとヒータＨの出力を制御し、COOL（冷風）・HAIR CARE （温風）・DRY （熱風）からなる運転モードを選択するようにしている。
【００４９】
主つまみ60の裏面には、図２及び図８に示すように、主つまみ60に連動連結した連動部材62を配設し、同連動部材62の前側部に切欠62a を形成してメインスイッチ６のスイッチ切換用可動凸部61を係合させており、かかる構成により、主つまみ60のスライド操作によってメインスイッチ６を切換えるようにしている。
【００５０】
本発明の要旨となるのは、図２及び図３に示すように、上記主つまみ60と、前記した整髪用アタッチメント９の着脱ボタン５との間に、主つまみ60と着脱ボタン５よりも嵩高の突出部４を設けたことにある。
【００５１】
すなわち、本実施例では、本体ケース１の外周に合わせて横断面を緩やかに湾曲させた板状に形成した操作部カバー８の前側部に着脱ボタン５を挿通する挿通孔8a（図３参照）を形成するとともに、後半部にスライド式の主つまみ60を取付け、同主つまみ60と前記挿通孔8aとの間に上方へ膨出させた台地状の突出部４を一体的に形成し、同突出部４の上面4aの高さを前記着脱ボタン５や主つまみ60の最大上面よりも高くしている。
【００５２】
かかる突出部４を設けたことによって、指で本体ケース１を把持したときにメインスイッチ６の主つまみ60や整髪用アタッチメント９の着脱ボタン５に強い力が加わらず、誤操作を可及的に防止することができるとともに、例えば、主つまみ60を操作する場合に、図９に示すように、突出部４が介在しているので勢い余って着脱ボタン５まで指が滑り、同着脱ボタン５を誤操作したりするおそれがない。しかも、本体ケース１を把持するときにグリップ位置の基準とすることができ、さらに、使用中にスイッチ操作を手探りで行う場合に、突出部４が主つまみ60の場所の目安となる。
【００５３】
また、図１０及び図１１に示すように、機能操作部Ｓを下面にして載置したときや、機能操作部Ｓが下側に位置した状態で落下した場合でも、突出部４によって着脱ボタン５や主つまみ60が直接外力を受けることを防止でき、これらの欠損等を防止することができる。
【００５４】
また、本実施例に係る突出部４は内部空間Ｑを有しており、図２、図４〜図６に示すように、この内部空間Ｑに前記したメインスイッチ６とサブスイッチ７とを重合状態に配設している。このように、メインスイッチ６とサブスイッチ７と重合状態に配設することにより、両スイッチ6,7 の端子6',7' 同士が接触することを防止ししている。
【００５５】
また、本実施例では、メインスイッチ７の上方に合成樹脂で一体成形した保持板73を配設し、同保持板73上にサブスイッチ７を載置・保持させ、さらに、同保持板73上にはマイクロスイッチ74をサブスイッチ７の側部に並設している。
【００５６】
かかるマイクロスイッチ74は、サブスイッチ７の切換えに連動してＯＮ・ＯＦＦするもので、切り換えられた電源電圧に合わせてファンモータＭの抵抗値を変化させるものである。
【００５７】
このように、メインスイッチ６とサブスイッチ７と重合状態に配設し、しかも両スイッチ6,7 の間に合成樹脂性の保持板73を介設しているので、同保持板73が絶縁体としても機能し、端子6',7' 同士の接触をより確実に防止できる。しかも、保持板73ごとサブスイッチ７及びマイクロスイッチ74を本体ケース１内に組み込むことができるので、製造時の組立性を向上させることができる。
【００５８】
さらに、図６に示すように、保持板73の左右側には、サブスイッチ７のリード線75の延出方向を規制する一対の方向規制用リブ73a,73a をそれぞれ設け、前記リード線75とメインスイッチ６のスイッチ切換用可動凸部61との干渉を回避させてメインスイッチ６の作動に悪影響を与えることのないようにするとともに、組立性も向上させている。すなわち、リード線75が操作カバー８装着時に、スイッチ切換用可動凸部61と前記した主つまみ60の連動部材62の切欠62a との間に噛み込んだりすることのないようにしている。
【００５９】
なお、機能操作部Ｓに、上記メインスイッチ６やサブスイッチ７及びマイクロスイッチ74とを保持した保持板73を組み込む場合は、図５に示すように、予め、各スイッチ6,7 と発熱装置２や送風装置３と結線しておき（図５（ａ））、メインスイッチ６及び保持板73を上側分割ケース1aの内側から長孔状凹部1cの開口部1eを通し（図５（ｂ））、メインスイッチ６を前記開口部1eを塞ぐように配設固定するとともに、サブスイッチ７及びマイクロスイッチ74を保持板73上に載置固定する（図５（Ｃ））。図中、66はメインスイッチ６のリード線、74b はマイクロスイッチのリード線である。
【００６０】
そして、保持板73上に固定されたサブスイッチ７及びマイクロスイッチ74を、メインスイッチ６と重合するように上側分割ケース1aの長孔状凹部1c内に配設固定し（図５（ｄ））し、主つまみ60、副つまみ70、着脱ボタン５とともに、操作部カバー８を前記長孔状凹部1cを覆うように嵌着する。
【００６１】
このとき、図６に示すように、メインスイッチ６は、上側分割ケース1aの長孔状凹部1c内に形成した保持用突起63,63 によって保持される。
【００６２】
また、上記サブスイッチ７を操作するために操作体である副つまみ70を、本実施例では突出部４の上面4aに回転自在に配設している。
【００６３】
そして、同副つまみ70の横側位置に、100V・120Vのポジションと200V・240Vのポジションとを明確に表示した機能表示部7aを印刷しており、本ヘアドライヤＡを使用する国の電源電圧に合わせられるようにしている。
【００６４】
副つまみ70は、図２、図３及び図７に示すように、筒状本体71に鍔部72を連設した鍔付帽子状に形成されており、筒状本体71が、操作部カバー８の突出部４の上面4aに形成した副つまみ挿通孔8bに挿通されており、しかも、筒状本体71の頂部と副つまみ挿通孔8bの外周に形成されたガイド部41の上面と面一状態となるようにしている。そして、筒状本体71の頂部表面にマイナス溝71a が形成されるとともに、裏面にはマイナス凸条71b が突設されている。
【００６５】
一方、サブスイッチ７のスイッチ切換用凸体76の頂部には、前記マイナス凸条71b に対応するマイナス溝76b が形成され、スイッチ切換用凸体76を副つまみ70の筒状本体71内に嵌入してマイナス凸条71b とマイナス溝76b とを係合可能としている。したがって、マイナスドライバー若しくはコイン等で副つまみ70を回転させることによりサブスイッチ７の切換えが行える。
【００６６】
このときに、100V・120V側にサブスイッチ７を切り換えると、筒状本体71の鍔部72が回動して、図７の一点鎖線で示すように、マイクロスイッチ74から突出したスイッチボタン74a を押圧してマイクロスイッチ74がＯＮ状態となる。
【００６７】
図１２に本実施例に係るヘアドライヤＡの回路図を示す。
【００６８】
また、メインスイッチ６により選択した各運転モードの状態のときのスイッチ端子の接続状態を表１に、サブスイッチ７により100V・120Vの場合と200V・240Vの場合のスイッチ端子の接続状態を表２に示す。なお、表中の番号は回路図中の番号と対応している。
【００６９】
【表１】
0004094720.tif 000002
【００７０】
【表２】
0004094720.tif 000003
【００７１】
図１２に示すように、メインスイッチ６は▲４▼の端子を電源側として、▲１▼、▲２▼、▲３▼、▲５▼の各端子との間の接続状態を切換えることにより、前記したように、COOL（冷風）・HAIR CARE （温風）・DRY （熱風）の３種類の基本運転モードに順次切換えることができる（表１参照）。
【００７２】
ファンモータＭは、整流回路35を介して供給される直流電源で駆動され、同整流回路35の一方の入力路36はメインスイッチ６の▲１▼端子に直接接続され、他方の入力路37は、中途に、ファンモータＭの回転を制御する460 オームの可変抵抗Ｒと、183 ℃で作動する温度ヒューズ38とを介設し、ヒータ入力路23に接続している。
【００７３】
そして、ヒータ入力路23とメインスイッチ６の端子▲２▼、▲３▼とを、一方向の電流通過のみを許すダイオードＤを介して接続するとともに、これと並列に、端子▲５▼を接続している。
【００７４】
前記入力路37において、前記可変抵抗Ｒと並列にマイクロスイッチ74を接続しており、同マイクロスイッチ74は、100V・120V仕様の場合は副つまみ70の動作に連動してＯＮ状態となっており、可変抵抗Ｒが一部バイパスされる。また、200V・240Vの場合はＯＦＦ状態となり、可変抵抗Ｒ全体に通電される。
【００７５】
また、ヒータ入力路23には、100 ℃で作動するサーモスタット24と66オームのヒータ線21a,21b を二本直列に設けており、第１のヒータ線21a の前後に設けたタップ25,26 間にサブスイッチ７を介設している。
【００７６】
同サブスイッチ７は、▲１▼の端子を電源側として、▲２▼、▲３▼、▲４▼の各端子との間の接続状態を切換えることにより、100V・120V仕様では前記第１・第２のヒータ線21a,21b を並列で使用し、200V・240V仕様では直列で使用するように切換えることができる（表２参照）。なお、図中、39は第２の温度ヒューズ（183 ℃）、CNは平滑用コンデンサである。
【００７７】
ところで、本実施例では、前述したように突出部４の上面4aに短尺筒状のガイド部41を僅かに突出させ、副つまみ70を囲繞するようにしている。しかも、副つまみ70の上面の高さとガイド部41の上面の高さとを略面一状態に（好ましくは副つまみ70をやや沈み加減に）配設して、前記機能表示部7aの保護と同時に、副つまみ70を保護するようにしている。
【００７８】
すなわち、ヘアドライヤＡを操作機能部Ｓ側を下向きにして載置した場合、図１２に示すように、突出部４の上面4aと載置面Ｇと間には僅かに間隙が形成されるので、印刷されている機能表示部7aが直接載置面Ｇに触れて文字などがかすれたりすることがない。
【００７９】
また、ガイド部41の上面と副つまみ70の上面とを略面一状態にしたことで、同副つまみ70に外力が加わりにくくなり、上記のような姿勢で載置しても副つまみ70が切り換わってしまうようなことがなく、さらに、使用中においては、通常は操作することの少ないサブスイッチ７の副つまみ70に指が直接触れにくくして、回転力を与えにくくしているので、誤まって電源電圧を切換えてしまい、ヘアドライヤＡが異常発熱したりする危険性を可及的に防止している。しかも、意匠的にもすっきりとしたデザインとすることができる。
【００８０】
なお、本実施例に係る突出部４は、着脱ボタン５側及び主つまみ60側の側面をなだらかに傾斜させた台地状としているが、図１４及び図１５に示すように、片側面のみを傾斜させたり、あるいは両面とも垂直壁面としたものでもよい。さらに、突出部４の上面4aは、機能表示部7aが見えにくくなく、また、グリップ感触も悪くない範囲内で多少湾曲させたものでもよい。
【００８１】
また、突出部４内に内部空間Ｑを形成しないものであれば、図１６及び図１７に示すように、着脱ボタン５と主つまみ60との間に、二枚あるいはそれ以上の薄板体44をケース本体１の長手方向に沿って、互いに幅方向に一定間隔をあけて起立状態に配設したり（図１６）、あるいは、ケース本体１の長手方向に直交するように、小間隔をあけて複数の薄板体45を配設して（図１７）、これら薄板体44,45 のなす輪郭が台地状となるようにしたものでもよい。
【００８２】
かかる台地状の形態とすれば、指の腹などを載置することができ、ヘアドライヤＡの使用時のグリップ感触を良好なものとすることができる。
【００８３】
また、図１８に示すように、台地状とせずに、着脱ボタン５と主つまみ60との間に仕切壁46を突設したものでもよい。
【００８４】
なお、本実施例では、副つまみ70のガイド部41を、突出部４の上面4aに偏平な筒状に形成したものとして説明したが、必ずしも突出させる必要はなく、図１９及び図２０に示すように、突出部４の上面4aに形成された副つまみ挿通用孔47の内側面47a をガイド部とすることもでき、またこの場合、突出部４の上面4aに突起48を設けておけば、この突起48によって、前述したように機能表示部7aの印刷はがれなどを防止することができる。
【００８５】
また、本実施例では、サブスイッチ７の副つまみ70を回転式として、その上面をガイド部41の上面と略面一状態にしたものとして説明したが、例えばプッシュ式とした場合でもやはり副つまみ70は突出部４の上面4aやガイド部41の上面より突出するのは望ましくない。しかしながら、たとえプッシュ式であっても、ガイド部41の上面よりも下方へ押し込まない限りスイッチが作用しないように構成しておけば、図２１に示すように、若干の上部突出は許される。
【００８６】
また、このようにサブスイッチ７をプッシュ式とした場合、図２０に示したように、主つまみ60及び着脱ボタン５を通る中心線Ｌよりも若干オフセットさせておくと、主つまみ60や着脱ボタン５の操作中に誤って副つまみ70を押してしまうおそれが少なくなる。
【００８７】
ここで、本実施例に係るヘアドライヤＡのその他の構成について説明する。
【００８８】
図２及び図３において、12は上下分割ケース1a,1b の送風口10の外周壁上に挿通する金属製のキャップであり、送風口10の外周壁後端部に取付けられる締結リング13とともに、上下分割ケース1a,1b の前端における突き合わせ状態をより確実に保持できるようにしている。14は前記キャップ12の周壁前端部に内装される補助リングである。
【００８９】
また、上下分割ケース1a,1b の後端側においては、その吸込口11の中央に放射状の径方向リブ15で支持された半割形のコード引出口筒C4,C4 でリード線C1の端子保持筒C3を抱合しており、かかる端子保持筒C3に、スイベル式の電源コードＣの接点C5,C6 （図３）を有する端部を差し込んで、端子保持筒C3内の二つの端子に回転自在に接触させている。C7はコード引出口筒C4の後端内部に設けた係止突起であり、同係止突起C7と係合する環状溝部C8を電源コードＣの端部に設けて、コード引出口筒C4で電源コードＣの端部を抱合することにより電源コードＣを回転自在に装着している。
【００９０】
また、コード引出口筒C4には、傘状に形成した吸込口フィルタ16を取付けており、上下分割ケース1a,1b の後端部における締結を図っている。17はメッシュ状のフィルタ部、18は吸込口フィルタ16の取付用筒体である。
【００９１】
なお、サブスイッチ７として、本実施例では電源電圧を切換えるためのものとして説明したが、これ以外にも、例えば温風を吹出しているときにヒータ機能のみをカットして送風のみとすることのできる急冷スイッチや、一時的に風速を上げる所謂ターボスイッチ等が考えられる。
【００９２】
【発明の効果】
本発明は上記の形態で実施されるもので、以下の効果を奏する。
【００９３】
(1) 請求項１記載の本発明では、本体ケースに、運転モードを切り換えるメインスイッチの切換操作体と、整髪用アタッチメントを着脱するための着脱操作体とを設けたヘアドライヤにおいて、切換操作体と着脱操作体との間に、両操作体よりも嵩高となるように上方へ膨出させた突出部を設け、突出部の有する内部空間に、メインスイッチと副機能スイッチとを突出部の膨出方向に重合状態に配設したことにより、整髪時に、突出部があることによって両操作体に手、指の腹による強い力が加わることがなく、誤操作を可及的に防止することができる。
【００９４】
また、一方の操作体を操作する場合に、突出部が介在しているので他方の操作体を誤操作したりするおそれがなく、しかも、本体ケースを把持するときに、突出部をグリップ位置の基準とすることができるとともに、手探り時にスイッチの場所の目安となって、目的とするスイッチの操作を確実に行える。また、余裕をもって副機能スイッチを配設でき、リード線などの配線も容易となって、製造時の組立性が向上する。さらに、メインスイッチと副機能スイッチとの端子同士が接触することを防止できる。
【００９５】
(2) 請求項２記載の本発明では、前記突出部の輪郭を台地状に形成したことにより、指の腹などを載置することができグリップ感触が良好となる。
【００９７】
(3) 請求項３記載の本発明では、前記副機能スイッチの操作体を突出部に設け、しかも、同操作体の上面を突出部の上面と略面一状態にしたことにより、整髪中には操作することの少ない副機能スイッチの操作体に指が直接触れにくくなって誤動作を防止することができる。
【００９８】
(4) 請求項４記載の本発明では、前記突出部の表面に機能表示部を設けたことにより、ケース本体よりも浮き出た場所に機能表示がされることになって視認しやすくなる。
【００９９】
(5) 請求項５記載の本発明では、前記突出部の上面に突起を設けたことにより、突出部を下にして載置した場合に、印刷等により表示した機能表示部が直接載置面に触れることがなく文字などがかすれたりするおそれがなくなる。
【０１００】
(6) 請求項６記載の本発明では、前記突起を副機能スイッチの操作体を囲繞するガイド部としたことにより、上記機能表示部の保護と同時に、操作体の保護が可能となり、かつ、意匠的にもすっきりとしたデザインとすることができる。
【０１０２】
(7) 請求項７記載の本発明では、前記メインスイッチと副機能スイッチとの間に副機能スイッチを保持する合成樹脂製の保持板を介在させ、絶縁体として兼用したことにより、メインスイッチと副機能スイッチとの端子同士が接触することをより確実に防止するとともに、保持板ごと副機能スイッチを配設できるので組立性が向上する。
【０１０３】
(8)請求項８記載の本発明では、前記保持板に、副機能スイッチのリード線の延出方向を規制する方向規制用リブを設け、前記リード線とメインスイッチのスイッチ切換用可動凸部との干渉を回避したことにより、リード線の配設が容易となるとともに、かかるリード線がメインスイッチのスイッチ切換用可動凸部に引っ掛かるなどのおそれがなく、組立性、操作性のいずれも良好となる。
【図面の簡単な説明】
【図１】本実施例に係るヘアドライヤの説明図である。
【図２】同ヘアドライヤの縦断面図である。
【図３】本実施例に係るヘアドライヤの分解斜視図である。
【図４】同機能操作部の分解説明図である。
【図５】同機能操作部のメインスイッチの配設状態を示す説明図である。
【図６】機能操作部の組立手順を示す説明図である。
【図７】機能操作部の平面視による説明図である。
【図８】操作部カバーの背面図である。
【図９】突出部の説明図である。
【図１０】ヘアドライヤの載置状態の一例を示す説明図である。
【図１１】ヘアドライヤの載置状態の一例を示す説明図である。
【図１２】本実施例に係るヘアドライヤの回路図である。
【図１３】ガイド部の説明図である。
【図１４】突出部の一形態を示す模式図である。
【図１５】突出部の一形態を示す模式図である。
【図１６】突出部の一形態を示す模式図である。
【図１７】突出部の一形態を示す模式図である。
【図１８】突出部の一形態を示す模式図である。
【図１９】突起の一形態を示す説明図である。
【図２０】機能操作部のレイアウトを示す模式的説明図である。
【図２１】操作体の一形態を示す説明図である。
【図２２】従来のヘアドライヤの説明図である。
【符号の説明】
Ａ  ヘアドライヤ
Ｑ  内部空間
１  本体ケース
４  突出部
4a  上面
５  着脱ボタン（着脱操作体）
６  メインスイッチ
７  サブスイッチ（副機能スイッチ）
7a  機能表示部
８  スイッチ部
41  ガイド部
48  突起
60  主つまみ（切換操作体）
61  スイッチ切換用可動凸部
70  副つまみ（操作体）
73  保持板
73a 方向規制用リブ
75  リード線
【図１】
0004094720.tif 000004
【図２】
0004094720.tif 000005
【図３】
0004094720.tif 000006
【図４】
0004094720.tif 000007
【図５】
0004094720.tif 000008
【図６】
0004094720.tif 000009
【図７】
0004094720.tif 000010
【図８】
0004094720.tif 000011
【図９】
0004094720.tif 000012
【図１０】
0004094720.tif 000013
【図１１】
0004094720.tif 000014
【図１２】
0004094720.tif 000015
【図１３】
0004094720.tif 000016
【図１４】
0004094720.tif 000017
【図１５】
0004094720.tif 000018
【図１６】
0004094720.tif 000019
【図１７】
0004094720.tif 000020
【図１８】
0004094720.tif 000021
【図１９】
0004094720.tif 000022
【図２０】
0004094720.tif 000023
【図２１】
0004094720.tif 000024
【図２２】
0004094720.tif 000025